(57)【要約】【課題】壁の前面に、網状物体を所定の距離をおいて、かつ、安定した状態で保持する方法と、これに使用されるネットホルダーを提供する。【解決手段】コンクリート壁１に複数本のアンカーボルト２を打ち込み、上記各アンカーボルト２に、平板状の基台１１に取付けられた円管１２Ａ，１２Ｂと、上記円管１２Ａ，１２Ｂの中空部１２Ｓに摺動自在に挿入される棒状の部材１３Ａ，１３Ｂとを備えたネットホルダー１０の上記基台１１を取付けた後、上記棒状の部材１３Ａ，１３Ｂの両端側をそれぞれ折返して、上記コンクリート壁１の前面にセットされた網状物体３の線材を上記棒状の部材１３Ａ，１３Ｂで把持することにより、上記網状物体３をアンカーボルト２に取付けられたネットホルダー１０に保持するようにした。【選択図】        図１
2004239004.tif 000002
【特許請求の範囲】
【請求項１】
壁の前面に、上記壁面と平行に網状物体を保持する際に、上記壁に複数本のアンカーボルトを打ち込み、上記各アンカーボルトに、平板状の基台に取付けられた筒状体と上記筒状体の中空部に摺動自在に挿入される棒状の部材とを備えたネットホルダーの上記基台を取付けた後、上記棒状の部材の両端側を折返して、上記網状物体の互いに平行な２本の線材を上記棒状の部材で把持するようにしたことを特徴とする網状物体の保持方法。
【請求項２】
上記ネットホルダーの基台に、上記筒状体と所定の角度を有し、中空部に棒状の部材が摺動自在に挿入される第２の筒状体を取付けて、網状物体の互いに異なる方向に延長する線材を一つのネットホルダーにて保持するようにしたことを特徴とする請求項１に記載の網状物体の保持方法。
【請求項３】
壁の前面に、上記壁面と平行に網状物体を保持するためのネットホルダーであって、上記壁に打ち込まれたアンカーボルトに取付けられる平板状の基台と、この基台に互いに直交するように取付けられた１対の筒状体と、上記各筒状体の中空部に摺動自在に挿入される、折り曲げ可能な棒状の部材とを備えたことを特徴とするネットホルダー。
【請求項４】
上記棒状の部材を鋼線としたことを特徴とする請求項３に記載のネットホルダー。
【発明の詳細な説明】
【０００１】
【発明の属する技術分野】
本発明は、金網等の網状物体を壁から所定の間隔をおいて壁に平行に保持する方法と、これに使用されるネットホルダーに関するものである。
【０００２】
【従来の技術】
一般に、既設トンネルのコンクリート壁を補強する方法の一つとして、上記コンクリート壁の表面に所定の厚さのモルタルを吹き付けて補強する方法が用いられている。このとき、上記モルタルの吹き付け厚さを一定にするため、上記コンクリート壁の表面から一定の距離をおいて溶接金網等の網状物体を設置し、この網状物体の上からモルタルの吹き付けを行うようにしている。このとき、上記網状物体を保持する際に、従来は、図６（ａ），（ｂ）に示すように、まず、コンクリート壁１にアンカーボルト２を打設し、このアンカーボルト２に小面積の平板５０を取付けて網状物体３を保持するようにしていた。
【０００３】
【発明が解決しようとする課題】
しかしながら、上記方法では、網状物体３を単に倒れないように保持するだけで、網状物体３はアンカーボルト２には緊結されていないので、上記コンクリート壁１からの距離や網の横方向の位置（平面内での位置）を固定することができなかった。したがって、網状物体３の上からモルタル吹き付けを行った場合には、上記網状物体３が移動したりして、吹き付けたモルタルの厚みにムラができてしまい、施工後、部分的な荷重が作用した場合に、強度が保証できないといった問題点があった。
また、上記アンカーボルト２を先行して打設する場合には、施工誤差により、上記小面積の平板５０が網状物体３に引っかからない場合がある。これに対応するため、上記平板５０の面積を大きくすることも考えられるが、平板５０の面積を大きくすると、今度は、平板５０の裏側に吹き付けモルタルが回り込まずに隙間ができてしまう可能性がある。
【０００４】
本発明は、従来の問題点に鑑みてなされたもので、壁の前面に、網状物体を所定の距離をおいて、かつ、安定した状態で保持する方法と、これに使用されるネットホルダーを提供することを目的とする。
【０００５】
【課題を解決するための手段】
本発明の請求項１に記載の発明は、壁の前面に、上記壁面と平行に網状物体を保持する網状物体の保持方法であって、上記壁に複数本のアンカーボルトを打ち込み、上記各アンカーボルトに、平板状の基台に取付けられた筒状体と、上記筒状体の中空部に摺動自在に挿入される棒状の部材とを備えたネットホルダーの上記基台を取付けた後、上記棒状の部材の両端側を折返して、上記網状物体の互いに平行な２本の線材を上記棒状の部材で把持することにより、上記網状物体を保持するようにしたことを特徴とするものである。これにより、網状物体の移動を最小限に抑えることができるので、上記網状物体を、コンクリート壁からの距離や網の横方向の位置をほぼ一定になるように保持することが可能となる。
また、アンカーボルトを先行して打設する場合で、施工誤差があった場合でも、棒状の部材の上記線材に対する位置を調整できるので、網状物体の位置がほぼ一定になるように保持することができる。
【０００６】
請求項２に記載の発明は、請求項１に記載の網状物体の保持方法において、上記ネットホルダーの基台に、上記筒状体と所定の角度（通常は、直角）を有し、中空部に棒状の部材が摺動自在に挿入される第２の筒状体を取付けて、網状物体の互いに異なる方向に延長する線材を一つのネットホルダーにて保持するようにしたことを特徴とする。
【０００７】
請求項３に記載の発明は、壁の前面に、上記壁面と平行に網状物体を保持するためのネットホルダーであって、上記壁に打ち込まれたアンカーボルトに取付けられる平板状の基台と、この基台に互いに直交するように取付けられた１対の筒状体と、上記各筒状体の中空部に摺動自在に挿入される、折り曲げ可能な棒状の部材とを備えたものである。これにより、簡単な構成で、網状物体を確実に保持することのできるネットホルダーを得ることができる。
請求項４に記載の発明は、請求項３に記載のネットホルダーにおいて、上記棒状の部材を鋼線としたもので、上記保持材料である棒状の部材が鋼線であるため、吹き付けモルタルがコンクリート壁面と全面的に接着可能となる。
【０００８】
【発明の実施の形態】
以下、本発明の実施の形態について、図面に基づき説明する。
図１は、本発明の一実施の形態を示す図で、同図において、１はモルタルＭを吹き付けて補強する予定の既設トンネルのコンクリート壁、２はこのコンクリート壁１に打設された複数個のアンカーボルト、１０は網状物体３を上記コンクリート壁１の前面に、壁面に平行に保持するためのネットホルダーである。このネットホルダー１０は、図２にも示すように、その中央部にボルト貫通孔１１Ｓを有し、上記アンカーボルト２に取付けられる平板状の正方形の基台１１と、この基台１１の１つの側面１１ａと、この側面に隣接する側面１１ｂとそれぞれ取付けられた互いに直交する方向に延長する一対の円管１２Ａ，１２Ｂと、これらの円管１２Ａ，１２Ｂの中空部１２Ｓ，１２Ｓにそれぞれ摺動自在に挿入される、鋼線から成る棒状の部材１３Ａ，１３Ｂとを備えている。
本例では、上記棒状の部材１３Ａ，１３Ｂを上記円管１２Ａ，１２Ｂに挿入した後、その各両端部を予めほぼ直角に折り曲げておく。詳細には、棒状の部材１３Ａの水平片１３ｍの長さが、上記網状物体３の互いに平行な２本の線材３ａ，３ｂ間の距離よりも線材の径だけ長くなるように、かつ、棒状の部材１３Ｂの水平片１３ｎの長さが、上記網状部材３の互いに平行な２本の線材３ｃ，３ｄ間の距離よりも線材の径だけ長くなるように、それぞれ折り曲げておく。これにより、後述する棒状の部材１３Ａ，１３Ｂの折返し作業が容易になるとともに、ネットホルダー１０を持ち運ぶ際に、棒状の部材１３Ａ，１３Ｂが上記円管１２Ａ，１２Ｂから外れることがないので便利である。
【０００９】
次に、上記ネットホルダー１０を用いて網状物体３を保持する方法について説明する。
まず、既設トンネルのコンクリート壁１表面の、モルタル吹き付けにより補強する箇所に、複数個のアンカーボルト２を打設した後、図３（ａ），（ｂ）に示すように、上記各アンカーボルト２にネットホルダー１０の基台１１を、ナット４を用いて取付ける。このとき、上記基台１１とコンクリート壁１との間に、金網等の網状物体３とコンクリート壁１との距離を一定に保つためのスペーサ部材５を介挿させておく。次に、金網等の網状物体３を上記コンクリート壁１の前面にセットした後、上記ネットホルダー１０の棒状の部材１３Ａ及び棒状の部材１３Ｂの垂直片１３ｐ，１３ｑを、それぞれ、上記網状物体３の互いに平行な２本の線材３ａ，３ｂ、及び、上記線材３ａ，３ｂに直交する互いに平行な２本の線材３ｃ，３ｄを把持するように折返す。これにより、上記線材３ａ，３ｂと線材３ｃ，３ｄとは、それぞれ上記棒状の部材１３Ａ，１３Ｂの両端側に把持されるので、網状物体３の移動を最小限に抑えることができるので、上記網状物体３を、コンクリート壁１からほぼ一定の位置に保持することができる。
また、本発明では、上記のように、アンカーボルト２を先行して打設しているが、施工誤差があった場合でも、図４に示すように、棒状の部材１３Ａ，１３Ｂは円管１２Ａ，１２Ｂに固定されていないので、棒状の部材１３Ａ，１３Ｂを上下方向あるいは左右方向に動かして、上記線材３ａ，３ｂまたは線材３ｃ，３ｄを把持することができるので、網状物体３を上記アンカーボルト２に取付けられたネットホルダー１０により確実に保持することができる。
【００１０】
このように、本実施の形態では、既設トンネルのコンクリート壁１に複数本のアンカーボルト２を打ち込み、上記各アンカーボルト２に、平板状の基台１１に取付けられた円管１２Ａ，１２Ｂと、上記円管１２Ａ，１２Ｂの中空部１２Ｓに摺動自在に挿入される棒状の部材１３Ａ，１３Ｂとを備えたネットホルダー１０の上記基台１１を取付けた後、上記棒状の部材１３Ａ，１３Ｂの両端側をそれぞれ折返して、上記コンクリート壁１の前面にセットされた網状物体３の線材３ａ〜３ｄを上記棒状の部材１３Ａ，１３Ｂで把持し、上記網状物体３を保持するようにしたので、上記網状物体３をアンカーボルト２に取付けられたネットホルダー１０に確実に保持することができるとともに、上記網状物体３をコンクリート壁１からの所定の距離に保持することができる。したがって、作業性が向上するとともに、既設トンネルのコンクリート壁１に吹き付けられるモルタルＭの厚さを均一にすることができるので、既設トンネルのコンクリート壁１を均一にかつ確実に補強することができる。
また、アンカーボルト２を先行して打設した場合でも、棒状の部材１３Ａ，１３Ｂの位置を調整できるので、網状物体３を上記ネットホルダー１０に確実に保持することができる。
【００１１】
なお、上記実施の形態では、基台１１に２つの円管１２Ａ，１２Ｂ及び棒状の部材１３Ａ，１３Ｂを配置したが、図５（ａ），（ｂ）に示すように、円管１２Ａと棒状の部材１３Ａのみを備えたネットホルダー２０であっても、これを縦向きあるいは横向きに使用すれば、網状物体３を上記ネットホルダー１０に確実に保持することができる。
また、網状物体３の端部側では、片方の棒状の部材１３Ａ（または、棒状の部材１３Ｂ）のみを使用するか、上記図５（ａ），（ｂ）に示した、ネットホルダー２０を使用すればよい。
なお、上記例では、基台１１とコンクリート壁１との間にスペーサ部材５を介挿させたが、上記スペーサ部材５は必ずしも用いる必要はなく、単に、基台１１のコンクリート壁１にもナットを取付けておき、２つのナットで上記基台１１をアンカーボルト２に固定するようにしても、コンクリート壁１との距離をほぼ一定に保つことは可能である。
【００１２】
【発明の効果】
以上説明したように、本発明によれば、壁の前面に、上記壁面と平行に網状物体を保持する際に、上記壁に複数本のアンカーボルトを打ち込み、上記各アンカーボルトに、平板状の基台に取付けられた筒状体と、上記筒状体の中空部に摺動自在に挿入される棒状の部材とを備えたネットホルダーの上記基台を取付けた後、上記棒状の部材の両端側をそれぞれ折返して、上記網状物体の互いに平行な線材を上記アンカーボルトにそれぞれ緊結し、上記網状物体を保持するようにしたので、網状物体を上記アンカーボルトに取付けられたネットホルダーにより確実に保持することができるとともに、上記網状物体をコンクリート壁からの所定の距離に保持することができる。したがって、この状態でモルタルの吹き付けを行うことにより、既設トンネルのコンクリート壁を均一に補強することができる。
【図面の簡単な説明】
【図１】本発明の一実施の形態を示す図である。
【図２】本実施の形態に係わるネットホルダーの構成を示す図である。
【図３】ネットホルダーの取付け方法を示す図である。
【図４】ネットホルダーの取付け方法を示す図である。
【図５】本発明によるネットホルダーの他の構成を示す図である。
【図６】従来の網状物体の保持方法を示す図である。
【符号の説明】
１  コンクリート壁、２  アンカーボルト、３  網状物体、
３ａ〜３ｄ  線材、１０  ネットホルダー、１１  基台、１１Ｓ  ボルト貫通孔、１２Ａ，１２Ｂ  円管、１２Ｓ  中空部、１３Ａ，１３Ｂ  棒状の部材、
１３ｍ，１３ｎ  水平片、１３ｐ，１３ｑ  垂直片。
【図１】
2004239004.tif 000003
【図２】
2004239004.tif 000004
【図３】
2004239004.tif 000005
【図４】
2004239004.tif 000006
【図５】
2004239004.tif 000007
【図６】
2004239004.tif 000008